(57)【要約】【課題】  構成簡単、小型化可能で、最終到着地点の地点データを見やすくすること。【解決手段】  予め記憶された地点の地点データを表示する記録表示モードにおいて、操作ボタンＢが短押し操作される毎に、表示部１０１に地点名１０５及び当該地点への到着日１０６を含む地点データを順次表示する。操作ボタンＢが長押しされている間は、現時点での最終到着地点ではない地点の地点データは早送り表示すると共に、現時点での最終到着地点の地点データを表示する際には送りを停止して表示する。【選択図】  図１
2010048667.tif 000002
【特許請求の範囲】
【請求項１】
歩行を検出して対応する歩行信号を出力する検出手段と、
出発地点から複数の中間地点を経由して目的地点に至る歩行コースについて、少なくとも各地点名、所定地点から各地点までの距離及び各地点を歩行する順序を含む歩行コースデータを記憶すると共に、使用者の歩幅データを記憶する記憶手段と、
前記歩行信号及び歩幅データに基づいて歩行した歩行距離を算出すると共に、前記算出した歩行距離に基づいて、最後に到着した最終到着地点を判定する算出手段と、
地点名を含む地点データを表示する表示手段と、
操作手段と、
前記操作手段が第１態様で操作されたとき前記地点データを第１周期で送り表示するように前記表示手段を制御し、前記操作手段が第２態様で操作されたとき前記地点データを前記第１周期よりも短い第２周期で送り表示するように前記表示手段を制御すると共に前記最終到着地点の地点データを表示する際には送りを停止して表示するように前記表示手段を制御する制御手段とを備えて成ることを特徴とする歩行計。
【請求項２】
前記制御手段は、前記操作手段が前記第２態様で操作されている場合、前記第２周期よりも長い時間送りを停止して前記最終到着地点の地点データを表示した後、次の地点データの表示を行うように前記表示手段を制御することを特徴とする請求項１記載の歩行計。
【請求項３】
前記制御手段は、前記第２周期よりも長い時間送りを停止して前記最終到着地点の地点データを表示している間、前記地点データを点滅表示するように前記表示手段を制御することを特徴とする請求項２記載の歩行計。
【発明の詳細な説明】
【技術分野】
【０００１】
本発明は、使用者の腕や腰等の身体に装着して、あるいは、使用者が携帯するバッグ等に収納して使用し、前記使用者の歩行に対応する歩行信号を検出して、仮想的な歩行コースの歩行シミュレーションを行う歩行計に関する。
【背景技術】
【０００２】
従来から、使用者の歩行に対応する歩行信号を検出して、出発地点から複数の中間地点を経由して目的地点に至る、仮想的な歩行コースの歩行シミュレーションを行う歩行計が開発されている。
前記歩行計では、出発地点から目的地点到着までの間に、中間地点の達成記録を残しながら目的地点まで到着するように構成されており、現在目指している中間地点のひとつ前の中間地点となる最終到着地点（既に到着した地点の中の最後の地点）の達成記録を確認する場合、過去の記録確認のモードにおいて、操作ボタンを短押しで１つずつ各地点の地点データを送って表示部に表示させて見るか、長押しで早送りして地点データを表示部に表示させて確認するのが一般的である（例えば特許文献１参照）。
【０００３】
しかしながら、前記歩行計では、使用者は最終到着地点がどこに存在しているかを判断できないため、記録データを早送りしながら最終到着地点を調べようとする際、所望の時点で早送りを停止させて表示させるのは難しいという問題がある。
またこれを解決するために、記録データを戻して表示させる機能を追加すると、操作ボタン数が増えて構成が複雑になり又、サイズの小型化が困難になる上コストが高くなるという問題がある。
【０００４】
【特許文献１】特開２００１−２９６１３９号公報
【発明の開示】
【発明が解決しようとする課題】
【０００５】
本発明は、前記問題に鑑み成されたもので、構成簡単、小型化可能で、最終到着地点の地点データを見やすくすることを課題としている。
【課題を解決するための手段】
【０００６】
本発明によれば、歩行を検出して対応する歩行信号を出力する検出手段と、出発地点から複数の中間地点を経由して目的地点に至る歩行コースについて、少なくとも各地点名、所定地点から各地点までの距離及び各地点を歩行する順序を含む歩行コースデータを記憶すると共に、使用者の歩幅データを記憶する記憶手段と、前記歩行信号及び歩幅データに基づいて歩行した歩行距離を算出すると共に、前記算出した歩行距離に基づいて、最後に到着した最終到着地点を判定する算出手段と、地点名を含む地点データを表示する表示手段と、操作手段と、前記操作手段が第１態様で操作されたとき前記地点データを第１周期で送り表示するように前記表示手段を制御し、前記操作手段が第２態様で操作されたとき前記地点データを前記第１周期よりも短い第２周期で送り表示するように前記表示手段を制御すると共に前記最終到着地点の地点データを表示する際には送りを停止して表示するように前記表示手段を制御する制御手段とを備えて成ることを特徴とする歩行計が提供される。
【０００７】
制御手段は、操作手段が第１態様で操作されたとき地点データを第１周期で送り表示するように表示手段を制御し、前記操作手段が第２態様で操作されたとき前記地点データを前記第１周期よりも短い第２周期で送り表示するように前記表示手段を制御すると共に最終到着地点の地点データを表示する際には送りを停止して表示するように前記表示手段を制御する。
【０００８】
ここで、前記制御手段は、前記操作手段が前記第２態様で操作されている場合、前記第２周期よりも長い時間送りを停止して前記最終到着地点の地点データを表示した後、次の地点データの表示を行うように前記表示手段を制御するように構成してもよい。
また、前記制御手段は、前記第２周期よりも長い時間送りを停止して前記最終到着地点の地点データを表示している間、前記地点データを点滅表示するように前記表示手段を制御するように構成してもよい。
【発明の効果】
【０００９】
本発明の歩行計によれば、構成簡単、小型化可能で、最終到着地点の地点データを見やすくすることが可能になる。
【発明を実施するための最良の形態】
【００１０】
以下、本発明の実施の形態に係る歩行計について説明する。尚、各図において同一部分には同一符号を付している。
図１は、本発明の実施の形態に係る歩行計の外観図である。
歩行計は、複数（本実施の形態では２つ）の操作ボタンＡ、Ｂ及び表示部１０１を備えている。また、歩行計は、歩行を測定するモードである歩行モードと、歩行計に記憶されている各地点名及び到着の際の記録データ等を表示するモードである記録表示モードの２種類の動作モードを備えている。各モードでは、地点名、所定値点から当該地点までの距離、当該地点に到着した（換言すれば通過した）日にち等の各地点に関するデータ（地点データ）が表示される。
【００１１】
図１（ａ）は歩行モードにおける表示部１０１の表示態様を示す図、同図（ｂ）は記録表示モードにおける表示部１０１の表示態様を示す図である。
表示部１０１には、歩行モード、記録表示モードを各々表す文字「歩行」、「記録表示」が動作モード表示１０２として表示されており、現在の動作モードを表す動作モード表示はアンダーライン付きで表示されている。
図１（ａ）の歩行モードでは、次の地点名１０３及び現在位置から当該次の地点までの残り距離１０４を含む地点データが表示される。また、図１（ｂ）の記録表示モードでは、地点名１０５及び当該地点へ到着（通過）した到着日１０６を含む地点データが表示される。
【００１２】
図２は、図１の歩行計のブロック図である。
図１及び図２において、歩行計は、複数（本実施の形態では２つ）の操作スイッチＡ２０５、Ｂ２０６、中央処理装置（ＣＰＵ）２０１、表示部１０１、記憶部２０２、所定周波数の信号を発生する発振回路２０３、発振回路２０３からの信号を分周して計時の基準となる時計信号を出力する分周回路２０４を備えている。操作スイッチＡ２０５、Ｂ２０６は、各々、操作ボタンＡ、Ｂによって操作されるスイッチである。
記憶部２０２には、使用者によって設定された使用者の歩幅のデータ、後述する地点データ、測定した歩数データ、前記歩幅データと歩数に基づいて算出した歩行距離データが記憶される。
【００１３】
歩行検出部２０７は、使用者の歩行を検出して対応する歩行信号を出力する。
ＣＰＵ２０１は、前記歩行信号を計数することによって歩数を測定し、前記測定した歩数データと歩幅データを乗算することによって歩行距離を算出して、これらのデータを随時記憶部２０２に記憶する。また、ＣＰＵ２０１は、分周回路２０４からの時計信号に基づいて計時動作を行う。ＣＰＵ２０１は、記憶部２０２に記憶したデータを、動作モード及び操作ボタンＡ、Ｂの操作に応じた態様で表示する。
尚、表示部１０１は表示手段を構成し、ＣＰＵ２０１は制御手段及び算出手段を構成し、記憶部２０２は記憶手段を構成している。また、操作ボタンＡ、Ｂ及び操作スイッチＡ２０５、Ｂ２０６は操作手段を構成し、歩行検出部２０７は検出手段を構成している。
【００１４】
図３は、各操作ボタンＡ、Ｂ（換言すれば操作スイッチＡ２０５、Ｂ２０６）の機能を説明する表である。
操作ボタンＡを操作することによって歩行モードと記録表示モード間のモード切替えを行うことができる。歩行モードにおいて操作ボタンＢを操作することにより、歩行データをリセットすることができる。記録表示モードにおいて操作ボタンＢを操作することにより、表示する地点名を切替えることができる。
【００１５】
図４は、記憶部２０２に記憶されている地点データの例を示す表で、地点名として東海道５３次の宿場町を用いた例である。尚、岡部から京都までの地点データは省略している。
図４において、地点データには、各地点の地点名、出発地点（図４では日本橋）からの距離、各地点に到着した日にち、到着したか否かのデータ（到着記録）が含まれている。既に到着した地点の到着記録は「あり」、未だ到着していない地点の到着記録は「なし」となっている。
【００１６】
図４の例は、出発地点である日本橋から歩行開始して「原」に到着し、現在、「吉原」を目指して歩行している状況のデータである。「原」が最終到着地点で、「吉原」が次の地点である。
尚、本実施の形態では、各地点の距離は日本橋を基準とする距離としているが、隣り合う各地点間の距離に設定する等の変更が可能であり、所定地点を基準とする距離であればよい。
【００１７】
図５及び図６は、本発明の実施の形態の処理を示すフローチャートである。尚、図１〜図６は、後述する各実施の形態に共通する図である。
図７は、本発明の第１の実施の処理を示すフローチャートである。以下、図１〜図７を用いて、本発明の第１の実施の形態の動作を説明する。
図５において、初期状態では歩行モードにあり、ＣＰＵ２０１は分周回路２０４からの時計信号に基づいて計時動作を行うと共に、歩行検出部２０７からの歩行信号を検出開始する（ステップＳ５０１）。
【００１８】
この状態でＣＰＵ２０１が、操作ボタンＡが操作されたと判定すると（ステップＳ５０２）、歩行検出動作を停止して記録表示モードに切替え、表示部１０１の表示を図１（ｂ）の記録表示画面に切替え、地点名を初期化して最初の地点である「日本橋」の地点データを表示部１０１に表示させる（ステップＳ５０３）。
ＣＰＵ２０１は、処理ステップＳ５０２において操作ボタンＡは操作されておらず、操作ボタンＢが操作されたと判定した場合（ステップＳ５０４）、記録データを消去して地点名を初期化し、残り距離を計算して表示部１０１に前記残り距離を表示する（ステップＳ５０５）。
【００１９】
ＣＰＵ２０１は、処理ステップＳ５０４において、操作ボタンＢが操作されていないと判定した場合、歩行検出部２０７からの歩行信号を検出すると（ステップＳ５０６）、記憶部２０２に記憶している歩行距離に１歩分の歩行距離である歩幅を加算して累積の歩行距離を算出する（ステップＳ５０７）。
次にＣＰＵ２０１は、算出した歩行距離を、図４の地点データ中の距離と比較して、次の地点に到着したと判定すると（ステップＳ５０８）、当該地点の地点データに到着日を記録すると共に、次の地点名を設定し（ステップＳ５０９）、次の地点までの残り距離を計算して、表示部１０１に次の地点名及び前記次の地点までの残り距離を表示した後、処理ステップＳ５０２に戻る（ステップＳ５１０）。
ＣＰＵ２０１は、処理ステップＳ５０８において、次の地点に到着していないと判定すると処理ステップＳ５１０に移行する。また、ＣＰＵ２０１は、処理ステップＳ５０６において、歩行検出部２０７からの歩行信号を検出していない場合には処理ステップＳ５０２に戻る。
【００２０】
一方、ＣＰＵ２０１は、処理ステップＳ５０３の後、操作ボタンＡが操作されたと判定すると（ステップＳ６０１）、次の地点名を設定して、現在位置から当該次の地点までの残り距離を計算し、表示部１０１に前記次の地点名及び残り距離を表示するように制御する（ステップＳ６０２）。
ＣＰＵ２０１は、処理ステップＳ６０１において操作ボタンＡは操作されておらず、操作ボタンＢが短時間操作（短押し操作）されたと判定した場合（ステップＳ６０３）、地点名を次の地点に変更し、当該次の地点の地点データを表示部１０１に表示した後、処理ステップＳ６０１に戻る（ステップＳ６０４）。このように、操作ボタンＢを第１態様の操作である短押し操作することにより、操作ボタンＢの操作周期に応じた第１周期で、地点データを遅送りして表示部１０１に表示させることができる。
【００２１】
ＣＰＵ２０１は、処理ステップＳ６０３において操作ボタンＢが短押し操作されずに長時間操作（長押し操作；第２態様の操作であり、前記短押し操作よりも所定時間以上操作時間が長い操作）されたと判定した場合、後述する処理ステップＳ７０１へ移行する（ステップＳ６０５）。
ＣＰＵ２０１は、処理ステップＳ６０５において操作ボタンＢが長押し操作されなかったと判定した場合には処理ステップＳ６０１に戻る。
【００２２】
一方、ＣＰＵ２０１は、処理ステップＳ６０５において操作ボタンＢが長押し操作されたと判定した場合、以下のように、表示部１０１が地点データの表示を早送り動作（表示早送り動作）するように制御する。
即ち、ＣＰＵ２０１は、定期タイマ（図示せず）を動作状態に設定する（ステップＳ７０１）。定期タイマは、所定の早送り時間（地点データの表示を切替える周期（前記第１の周期よりも短い第２周期）であり、例えば０．５秒）を設定するためのタイマである。
次に、ＣＰＵ２０１は、操作ボタンＢが継続して操作されていないと判定した場合（ステップＳ７０２）、定期タイマの動作を停止した後、処理ステップＳ６０１に移行する（ステップＳ７０３）。これにより、操作ボタンＢを長押し操作していない場合は、地点データの表示早送り動作は終了する。
【００２３】
一方、ＣＰＵ２０１は、処理ステップＳ７０２において、操作ボタンＢが継続して長押し操作されていると判定した場合、定期タイマ割り込みが発生した、即ち、定期タイマが前記早送り時間カウントしたと判定すると（ステップＳ７０４）、現在表示している地点データを次の地点の地点データに変更し、該当する地点データを表示部１０１に表示させる（ステップＳ７０５）。これにより、前記早送り時間である第２周期で各地点データが順次表示部１０１に表示されることになる。
【００２４】
ＣＰＵ２０１は、次の地点データの到着記録が「あり」ではない場合、即ち、次の地点は未だ歩行完了しておらず現在の地点が歩行完了した最終到着地点である場合には（ステップＳ７０６）、定期タイマを停止した後に処理ステップＳ６０１に戻る（ステップＳ７０７）。これにより、表示部１０１には現時点での最終到着地点の地点データが表示された状態で停止することになる。
【００２５】
ＣＰＵ２０１は、次の地点データの到着記録が「あり」の場合、即ち、表示されている地点データが現時点での最終到着地点でない場合には、定期タイマを早送り時間に設定した後、処理ステップＳ７０２に戻る（ステップＳ７０８）。これにより、操作ボタンＢが操作されている間は、表示部１０１には最終到着地点以外の地点データが早送り表示され、最終到着地点が到来したとき、最終到着地点の地点データが表示された状態で停止することになる。尚、操作ボタンＢを再度操作した場合、最終到着地点の以降の地点データが表示される。
【００２６】
以上のように、本第１の実施の形態によれば、記憶された地点の地点データを表示する記録表示モードにおいて、操作ボタンＢが短押し操作される毎に（例えば短押し操作の周期に応じた第１周期で）、表示部１０１に地点名１０５及び当該地点への到着日１０６を含む各地点の地点データを順次送り表示する。操作ボタンＢの長押し操作が継続して行われている場合には、現時点での最終到着地点ではない地点の地点データを前記第１周期よりも短い第２周期で早送り表示すると共に、現時点での最終到着地点の地点データを表示する際には送りを停止して表示部１０１に表示するようにしている。
したがって、新たに専用の操作ボタンを追加することなく、簡単な操作で、最終到着地点の地点データを視認しやすく表示することが可能になる。また、地点データを早送り表示中でも前記最終到着地点の地点データを視認しやすく表示できる。また、操作が簡単・容易である。
【００２７】
図８は、本発明の第２の実施の形態に係る歩行計のフローチャートである。本第２の実施の形態と前記第１の実施の形態は、処理ステップＳ７０１以降の処理が異なるのみであり、それ以外は同じである。
ＣＰＵ２０１は、図８の処理ステップＳ７０５において、現在表示している地点データを次の地点の地点データに変更し、該当する地点データを表示部１０１に表示させた後、次の地点データの到着記録が「あり」ではない場合、即ち、次の地点は未だ歩行完了しておらず現在の地点が歩行完了した最終到着地点である場合には（ステップＳ７０６）、定期タイマに表示延長時間を設定して処理ステップＳ７０２に戻る（ステップＳ８０１）。前記表示延長時間は、前記早送り時間（第２周期）よりも長い時間に設定されている。ＣＰＵ２０１は、表示されている地点データが最終到着地点のものでない場合には定期タイマを早送り時間に設定した後、処理ステップＳ７０２に戻る（ステップＳ７０８）。
【００２８】
これにより、操作ボタンＢを長押し操作することによって、表示部１０１には、現時点での最終到着地点以外の各地点データは第２周期で早送りで表示されることになるが、最終到着地点の地点データは、前記第２周期よりも長い時間表示されることになる。即ち、操作ボタンＢの操作を継続している場合、最終到着地点の達成記録データの表示位置で使用者が確認可能な一定時間のみ表示停止させてから次の地点データの表示に移行する。
したがって、新たに操作ボタンを追加することなく、簡単な操作で、最終到着地点の地点データを視認しやすく表示することが可能になる等、前記第１の実施の形態と同様の効果を奏するばかりでなく、データを早送りさせながら完全に停止することなく最終到着地点データを視認しやすく表示できるため、データをより早く送ることが可能になる。
【００２９】
図９は、本発明の第３の実施の形態に係る歩行計のフローチャートである。本第３の実施の形態と前記第２の実施の形態は、処理ステップＳ７０１以降の処理が異なるのみであり、それ以外は同じである。
ＣＰＵ２０１は、図９の処理ステップＳ７０５において、現在表示している地点データを次の地点の地点データに変更し、該当する地点データを表示部１０１に表示させた後、次の地点データの到着記録が「あり」ではない場合、即ち、次の地点は未だ歩行完了しておらず現在の地点が歩行完了した最終到着地点である場合には（ステップＳ７０６）、定期タイマに表示延長時間を設定し（ステップＳ８０１）、表示部１０１が地点データを点滅表示するように制御開始して処理ステップＳ７０２に戻る（ステップＳ９０１）。前記表示延長時間は、前記早送り時間よりも長い時間に設定されている。
【００３０】
ＣＰＵ２０１は、処理ステップＳ７０６において、次の到着地点記録が「あり」の場合、即ち、次の地点は既に歩行完了しており、現在の地点が歩行完了した最終到着地点でない場合には、定期タイマを早送り時間に設定し（ステップＳ７０８）、表示部１０１の点滅表示を終了させた後、処理ステップＳ７０２に戻る（ステップＳ９０２）。
これにより、操作ボタンＢの長押し操作を継続することによって、表示部１０１には最終到着地点以外の地点データは早送りで表示されることになるが、最終到着地点の地点データは長時間表示されると共に点滅表示されることになる。即ち、操作ボタンＢの操作を継続している場合、最終到着地点の達成記録データの表示位置で使用者が認識しやすいよう、一定時間点滅表示させてから次の地点データの表示へ移行する。
したがって、前記第２の実施の形態と同様の効果を奏するばかりでなく、最終到着地点の地点データをより視認しやすく表示することが可能になる。
【００３１】
前記各実施の形態に係る歩行計は、腕や腰に装着して使用する形式の歩行計や、使用者が携帯するバッグ等に収納して使用する形式の歩行計等に利用することが可能である。
【産業上の利用可能性】
【００３２】
腕や腰に装着して使用する形式の歩行計や、使用者が携帯するバッグ等に収納して使用する形式の歩行計等に利用することが可能である。
【図面の簡単な説明】
【００３３】
【図１】本発明の実施の形態に係る歩行計の外観図である。
【図２】本発明の実施の形態に係る歩行計のブロック図である。
【図３】本発明の実施の形態における操作ボタンの機能を説明する表である。
【図４】本発明の実施の形態における歩行データの例を示す表である。
【図５】本発明の実施の形態に係る歩行計のフローチャートである。
【図６】本発明の実施の形態に係る歩行計のフローチャートである。
【図７】本発明の第１の実施の形態に係る歩行計のフローチャートである。
【図８】本発明の第２の実施の形態に係る歩行計のフローチャートである。
【図９】本発明の第３の実施の形態に係る歩行計のフローチャートである。
【符号の説明】
【００３４】
１０１・・・表示部
１０２・・・動作モード表示
１０３・・・次の地点名
１０４・・・残り距離
１０５・・・地点名
１０６・・・到着日
２０１・・・ＣＰＵ
２０２・・・記憶部
２０３・・・発振回路
２０４・・・分周回路
Ａ２０５、Ｂ２０６・・・操作スイッチ
Ａ、Ｂ・・・操作ボタン
【図１】
2010048667.tif 000003
【図２】
2010048667.tif 000004
【図３】
2010048667.tif 000005
【図４】
2010048667.tif 000006
【図５】
2010048667.tif 000007
【図６】
2010048667.tif 000008
【図７】
2010048667.tif 000009
【図８】
2010048667.tif 000010
【図９】
2010048667.tif 000011